(57)【要約】【課題】電池蓋が開くとき、電池接片の先端部を電池蓋に近づける。【解決手段】電池収納部１０は、電池蓋支持板３２を回転可能に支持する。電池蓋支持板３２は電池蓋３０を支持し、電池蓋３０は、ガイド部材３７、３８に沿って電池蓋支持板３２に対して幅方向Ｗに摺動可能である。電池蓋支持板３２に、先端部が電池蓋３０から離れるように延びる第１及び第２のアーム部６１、６２を固定する。第１及び第２のアーム部６１、６２の先端を接続するように、電池端子に接触するための接触部６３を設ける。ガイド部材３７、３８には、第１及び第２のアーム部６１、６２を覆う突起３７Ｂ、３８Ｂを設ける。電池蓋３０が電池蓋支持板３２に対して幅方向Ｗに摺動すると、突起３７Ｂ、３８Ｂは第１及び第２のアーム部６１、６２を押圧する。【選択図】図１
2007287423.tif 000002
【特許請求の範囲】
【請求項１】
電池を挿入口から底面に向けて挿入することにより前記電池を収納する電池収納部と、
前記挿入口を閉塞し、閉塞した状態で前記電池の端面に対向する電池蓋と、
前記電池蓋を支持し、かつ前記電池収納部に前記電池蓋と共に変位するように取り付けられるとともに、前記挿入口を閉塞する前記電池蓋の閉塞面に沿うように配置される電池蓋支持板と、
前記電池蓋又は前記電池蓋支持板のいずれか一方に設けられ、前記電池蓋支持板に沿って前記電池蓋を摺動させることにより、前記電池蓋を開閉させるガイド部材と、
前記電池蓋又は前記電池蓋支持板の他方に、前記電池蓋から離間するように延出して設けられ、かつ前記端面に接触するための接触部を有する電池接片とを備え、
前記電池蓋が前記電池蓋支持板に沿って摺動すると、前記電池接片が前記ガイド部材に押圧され、前記接触部が前記電池蓋に近づくことを特徴とする電池収納構造。
【請求項２】
前記電池蓋が前記挿入口を開放させるように摺動すると、前記電池接片が前記ガイド部材に押圧され、
前記電池蓋が前記挿入口を閉塞するように摺動すると、前記電池接片に対する押圧力が弱められ、前記電池接片が前記電池蓋から離れることを特徴とする請求項１に記載の電池収納構造。
【請求項３】
前記電池蓋支持板は、前記電池収納部に回転可能に支持されていることを特徴とする請求項１に記載の電池収納構造。
【請求項４】
前記電池蓋は前記電池蓋支持板とともに第１の周方向に回転した後、第１の方向に摺動することにより前記挿入口を閉塞し、前記第１の方向とは逆方向に摺動した後、前記電池蓋支持板とともに前記第１の周方向とは逆方向に回転し前記挿入口を開放することを特徴とする請求項３に記載の電池収納構造。
【請求項５】
前記電池接片は、前記電池蓋又は前記電池蓋支持板の他方に固定され、かつ前記電池蓋から離れるように延びるアーム部を備え、前記接触部が前記アーム部の先端に設けられることを特徴とする請求項１に記載の電池収納構造。
【請求項６】
前記アーム部は、前記電池蓋が摺動する摺動方向に平行に設けられることを特徴とする請求項５に記載の電池収納構造。
【請求項７】
前記ガイド部材は前記電池蓋の前記閉塞面の両端部それぞれに設けられるとともに、前記アーム部は前記各ガイド部材に沿うようにそれぞれ設けられ、前記各アーム部は、各ガイド部材によって押圧されることを特徴とする請求項５に記載の電池収納構造。
【請求項８】
前記接触部は前記両アーム部の先端部を接続し、前記両アーム部と接触部が略コの字形状を呈することを特徴とする請求項７に記載の電池収納構造。
【請求項９】
前記両アーム部の先端部にはそれぞれ独立に接触部が設けられることを特徴とする請求項７に記載の電池収納構造。
【請求項１０】
前記アーム部は、前記摺動方向に複数並べられるとともに、前記電池蓋が前記電池蓋支持板に沿って摺動すると、前記各アーム部は前記ガイド部材に押圧され、前記接触部が前記電池蓋に近づくことを特徴とする請求項５に記載の電池収納構造。
【請求項１１】
前記ガイド部材の一部は、前記電池接片の一部を覆うように設けられ、その電池接片の一部を覆うガイド部材の一部が前記電池接片を押圧することを特徴とする請求項１に記載の電池収納構造。
【請求項１２】
前記ガイド部材には前記ガイド部材と一体に形成された突起が設けられ、前記電池接片は前記突起によって押圧されることを特徴とする請求項１に記載の電池収納構造。
【請求項１３】
前記ガイド部材は、前記電池蓋に一体に形成されることを特徴とする請求項１に記載の電池収納構造。
【発明の詳細な説明】
【技術分野】
【０００１】
本発明は、デジタルカメラ等の各種電気機器の電池を収納するための電池収納構造に関する。
【背景技術】
【０００２】
デジタルカメラ等の各種電気機器には、電池を収納するための電池室が設けられ、電池室の挿入口は通常電池蓋で閉じられている。電池蓋には電池の端子に接触するための電池接片が設けられるが、電池接片は瞬断防止のために電池の移動に追従できるように、板ばね状に形成されることが知られている。
【０００３】
電池接片は、撓み量が大きいほど電池への追従性が良くなるので、電池接片の撓み量を大きくすることにより、瞬断を防止することができる。しかし、電池接片の撓み量を大きくすれば、接片の耐久性が低下するとともに、不用意に使用者等に触れられ、外的負荷により変形する可能性も高くなる。したがって、従来、電池接片の撓み量を大きくすることは困難であった。
【０００４】
そこで、特許文献１のように、電池接片のアーム部を跨る規制部が設けられた電池蓋が知られている。この構成によれば、電池蓋が開けられたとき、アーム部が規制部に押圧され電池接片の撓み量が抑えられるので、使用者によって電池接片が触れられ電池接片が変形することが防止される。また、電池蓋が閉じられたときには、アーム部は規制部による押圧から開放されるので、充分に撓むことができ電池への追従性が良くなる。
【特許文献１】特開２００５−２１６８１１号公報
【発明の開示】
【発明が解決しようとする課題】
【０００５】
しかし、特許文献１における電池蓋は、規制部が電池蓋と別部材として設けられているため、部品点数が多くなるとともに、組立性が良好ではない。そこで本発明は、電池への追従性が良好で、かつ外的負荷が作用されにくい電池接片が設けられた電池収納構造であって、部品点数が少なく組立性が良好な電池収納構造を提供することを目的とする。
【課題を解決するための手段】
【０００６】
本発明に係る電池収納構造は、電池を挿入口から底面に向けて挿入することにより電池を収納する電池収納部と、挿入口を閉塞し、閉塞した状態で電池の端面に対向する電池蓋と、電池蓋を支持し、かつ電池収納部に電池蓋と共に変位するように取り付けられるとともに、挿入口を閉塞する電池蓋の閉塞面に沿うように配置される電池蓋支持板と、電池蓋又は電池蓋支持板のいずれか一方に設けられ、電池蓋支持板に沿って電池蓋を摺動させることにより、電池蓋を開閉させるガイド部材と、電池蓋又は電池蓋支持板の他方に、電池蓋から離間するように延出して設けられ、かつ端面に接触するための接触部を有する電池接片とを備え、電池蓋が電池蓋支持板に沿って摺動すると、電池接片がガイド部材に押圧され、接触部が電池蓋に近づくことを特徴とする。
【０００７】
電池蓋が挿入口を開放させるように摺動すると、電池接片がガイド部材に押圧され、電池蓋が挿入口を閉塞するように摺動すると、電池接片に対する押圧力が弱められ、先端部が電池蓋から離れることが好ましい。これにより、電池蓋が開けられたときに、電池接片の電池蓋に対する突出量が抑えられるので、電池接片に作用される外的負荷を有効に防止することができる。また電池蓋が閉められたときに、突出量が増加させられるので、接触部は電池の端子に充分な撓み力によって接触することができる。
【０００８】
電池蓋支持板は、例えば電池収納部に回転可能に支持されており、この場合電池蓋は電池蓋支持板とともに第１の周方向に回転した後、第１の方向に摺動することにより挿入口を閉塞する。また、第１の方向とは逆方向に摺動した後、電池蓋支持板とともに第１の周方向とは逆方向に回転し挿入口を開放することが好ましい。
【０００９】
例えば電池接片は、電池蓋又は電池蓋支持板の他方に固定され、かつ電池蓋から離れるように延びるアーム部を備え、接触部がアーム部の先端に設けられる。このときアーム部は、電池蓋が摺動する摺動方向に平行に設けられることが好ましく、これによりアーム部はガイド部材によって押圧されやすくなる。
【００１０】
例えば、ガイド部材は電池蓋の閉塞面の両端部それぞれに設けられるとともに、アーム部は各ガイド部材に沿うようにそれぞれ設けられ、各アーム部は、各ガイド部材によって押圧される。
【００１１】
接触部は両アーム部の先端部を接続し、両アーム部と接触部が略コの字形状を呈することが好ましい。これにより、接触部は簡単な構成により形成される。両アーム部の先端部にはそれぞれ独立に接触部が設けられても良い。アーム部は、摺動方向に複数並べられても良く、この場合、電池蓋が電池蓋支持板に沿って摺動すると、各アーム部はガイド部材に押圧され、接触部が電池蓋に近づくことが好ましい。
【００１２】
ガイド部材の一部は、例えば、電池接片の一部（例えばアーム部）を覆うように設けられ、その電池接片の一部を覆うガイド部材の一部が電池接片を押圧する。また、ガイド部材にはガイド部材と一体に形成された突起が設けられ、電池接片は突起によって押圧されることが好ましい。また、ガイド部材は、電池蓋に一体に形成された方が良い。このように、ガイド部材が電池蓋又は突起と一体に形成されることにより、電池蓋の部品点数をさらに減らすことができ、組み立て容易な電池蓋を得ることができる。
【発明の効果】
【００１３】
本発明においては、電池蓋の摺動に応じて電池蓋に対するアーム部の突出量を制御することができるので、アーム部に外的負荷が作用されるのが有効に防止される。また、アーム部を押圧するための部材はガイド部材であるので、アーム部の突出量を制御するために特別な部材を設ける必要もない。
【発明を実施するための最良の形態】
【００１４】
本発明の第１の実施形態を図１〜７を用いて説明する。図１は、本実施形態の電池収納構造の斜視図を示す。電池収納構造は、電池収納部１０と、電池支持板３２が設けられた電池蓋３０を備え、電池収納部１０は、例えばデジタルカメラ等の電気機器内部に設けられる。電池収納部１０は、例えば円柱形電池（図示せず）を２本並列して格納し、また円柱形の電池２本が一体に形成されたパック型の電池（図示せず）を１本格納することができる。
【００１５】
電池収納部１０は側壁と底面１２を有し、側壁は平面に形成され互いに対向する第１および第２の平面２０、２１と、互いに対向し円弧を呈する第１および第２の湾曲壁面２２、２３により構成される。底面１２は、円柱形電池（図示せず）２本またはパック型の電池が１本挿入されるので、長手方向の長さが幅方向の長さの略２倍である。
【００１６】
円柱形電池は、その両端部に端子が設けられ、底面１２の長手方向に二本並列して挿入口１１から電池収納部１０の底面１２に向けて、電池収納部１０内に収納され、挿入口１１は、略矩形を呈する電池蓋３０によって閉塞される。
【００１７】
電池蓋３０において、挿入口１１を閉塞する閉塞面３０Ａには、閉塞面３０Ａに沿うように電池蓋支持板３２が配置される。電池蓋３０の長手方向Ｌの両端部には、電池蓋３０の幅方向Ｗに沿って延びるガイド部材３７、３８が設けられる。電池蓋支持板３２は、長手方向Ｌに長く形成され、その長手方向の両端部はガイド部材３７、３８に係合され、これにより電池蓋３０は電池蓋支持板３２によって支持される。電池蓋支持板３２の幅方向Ｗにおける一端部３２Ａには軸受け３４Ａが設けられ、電池収納部１０にも同様に軸受け３４Ｂが設けられ、これら軸受け３４Ａ、３４Ｂには軸３５が挿通されており、これにより電池蓋支持板３２は、軸３５を中心に電池収納部１０に回転可能に支持されている。
【００１８】
電池蓋３０は、電池支持板３２とともに軸３５を中心に回転可能であるとともに、ガイド部材３７、３８に沿って電池蓋支持板３２に対してその幅方向Ｗに摺動可能である。したがって、図１に示す開放状態から軸３５を中心に回転した後、幅方向Ｗに摺動することにより挿入口１１を閉塞する。閉塞状態から電池蓋３０は電池蓋支持板３２に沿って、閉じるときと逆方向に摺動した後、電池蓋支持板３２とともに、閉じるときとは逆方向に回転し、挿入口１１を開放する。
【００１９】
電池蓋３０の４隅には係合突起５１が設けられ、電池蓋３０が閉じられたとき、各係合突起５１は電池収納部１０の４隅に設けられた各係合凹部５０に係合し、これにより電池蓋３０は閉状態が維持される。
【００２０】
電池蓋支持板３２には、銅等の導電性金属からなる電池接片６０が設けられる。電池接片６０は、第１及び第２のアーム部６１、６２及び接触部６３を備える。第１及び第２のアーム部６１、６２は、基端部６１Ｂ、６２Ｂが電池蓋支持板３２に固定されるとともに、電池蓋３０の幅方向Ｗに延び、対称的に並列して設けられる。第１及び第２のアーム部６１、６２は、各ガイド部材３７，３８に沿うようにそれぞれ設けられる。接触部６３は第１及び第２のアーム部６１、６２の先端部同士を接続して設けられるとともに、長手方向Ｌに延び、これにより電池接片６０は、第１及び第２のアーム部６１、６２と接触部６３により略コの字状に形成される。
【００２１】
接触部６３の上面には、２つの電池の一方の端部に設けられた２つの端子（図示せず）に接触するために、第１及び第２の接点６４、６５が設けられる。接触部６３の上面には、第１の接点６４を取り巻くように略弧状の逆接防止部材６６が設けられる。逆接防止部材６６は樹脂等の非導電体で構成される。
【００２２】
図２は電池蓋３０と電池蓋支持板３２の分解斜視図である。図３は電池蓋３０を上方から見たときの電池蓋閉状態の平面図である。なお、以下述べる後方とは図２における紙面後方側（すなわち、図３においては上方側）をいい、前方とは紙面手前側（図３においては下方側）をいう。電池蓋支持板３２は略矩形に形成され、一端３２Ａの両端部からは幅方向Ｗの後方に突出する突出部７０、７１が設けられ、その突出部７０、７１には挿通穴７２、７３が設けられる。
【００２３】
第１及び第２のアーム部６１、６２それぞれは、折り曲げられて板ばね状に成形され、それぞれ基端部６１Ｂ、６２Ｂと、延出部６１Ｃ、６２Ｃと、傾斜アーム部６１Ｄ、６２Ｄとから成る。基端部６１Ｂ、６２Ｂは、貫通穴６１Ａ、６２Ａが設けられ環状を呈する。延出部６１Ｃ、６２Ｃは、基端部６１Ｂ、６２Ｂそれぞれに連設され、これら基端部６１Ｂ、６２Ｂから電池蓋支持板３２の裏面に沿って幅方向Ｗに平行に前方に延出する。傾斜アーム部６１Ｄ、６２Ｄは延出部６１Ｃ、６２Ｃそれぞれに対して上側に所定角度で折り曲げられて連設され、幅方向Ｗに平行に電池蓋３０から離れつつ前方に延びる。傾斜アーム部６１Ｄ、６２Ｄの先端部に連設された接触部６３は傾斜アーム部６１Ｄ、６２Ｄに対して下側に折り曲げられている。なお、延出部６１Ｃ、６２Ｃと、傾斜アーム部６１Ｄ、６２Ｄを連設する部分は、接続部６１Ｅ、６２Ｅとする。
【００２４】
電池蓋支持板３２において、貫通穴７２、７３の幅方向Ｗ前方には矩形孔９３、９４が設けられる。第１及び第２のアーム部６１、６２は、図３に示すように、電池蓋支持板３２の上面からそれぞれ矩形孔９３、９４内を挿通し、基端部６１Ｂ、６２Ｂと延出部６１Ｃ、６２Ｃが電池蓋支持板３２の裏面に当接させられる。これにより、貫通穴６１Ａ、６２Ａそれぞれは、突出部７０、７１に設けられた貫通穴７２、７３に一致させられる。そして、一致させられた貫通穴６１Ａ、７２及び貫通穴６２Ａ、７３には、それぞれピン７４、７５が電池蓋支持板３２の裏面側から挿通され、これらのピン７４、７５により電池蓋支持板３２に電池接片６０が固定される。
【００２５】
電池蓋３０の長手方向Ｌの両端部に設けられたガイド部材３７、３８には、電池蓋３０の中央側から各端部側に向けて凹んだガイド溝３７Ａ、３８Ａが形成される。ガイド溝３７Ａ、３８Ａはそれぞれ断面コの字状を呈し、溝の一方の側壁を構成し電池蓋３０の上面３０Ａ上に設けられる下側壁部３７Ｃ、３８Ｃと、下側壁部３７Ｃ、３８Ｃに対向して上方側に設けられ、溝の他方の側壁を構成する上側壁部３７Ｄ、３８Ｄと、溝の底面を構成する底面部３７Ｅ、３８Ｅによって形成される。各ガイド溝３７Ａ、３８Ａには、電池蓋支持板３２が係合される。なお、各側壁及び各溝底面は、幅方向Ｗの後方の端部近傍から後述するガード部３９まで延びるように設けられるが、ガイド溝３７の上側壁部３７Ｄに関しては、電池蓋３０の幅方向Ｗにおいて、後方の端部近傍から中央付近までしか設けられない。
【００２６】
上側壁部３７Ｄ、３８Ｄには、上側壁部３７Ｄ、３８Ｄ（すなわちガイド部材３７、３８）と一体に形成された突起３７Ｂ、３８Ｂが設けられる。突起３７Ｂ、３８Ｂはそれぞれ上側壁部３７Ｄ、３８Ｄから、長手方向Ｌにおいて内側に向けて突出しアーム部６１、６２の上面をそれぞれ覆う。
【００２７】
電池蓋支持板３２は、ガイド溝３７Ａ、３８Ａに、図中後方から前方に挿入されることにより、電池蓋３０の上面（閉塞面３０Ａ）に取り付けられる。電池蓋３０の幅方向Ｗの前方側の端部にはその端部に沿ってガード部３９が設けられ、電池蓋３０は後方側に向けて、ガード部３９が電池蓋支持板３２の幅方向Ｗの前方の端部に接するまでガイド溝３７Ａ、３８Ａに沿って摺動可能である。また、電池蓋３０の幅方向Ｗの後方側の端部近傍に係合突起７７が設けられ、係合突起７７が電池蓋支持板３２に設けられた係合爪７９に係止されるまで、電池蓋３０は前方側に向けて摺動可能である。すなわち、電池蓋３０は所定範囲内において電池蓋支持板３２に対して、幅方向Ｗに直線的にスライド可能である。なお、電池蓋３０には係合突起７７の横にさらに係合突起７６が設けられるが、この係合突起７６は、電池蓋３０が開けられたとき、係合爪７８に当接し、これにより電池蓋３０の開閉時にクリック感が得られる。さらに、電池蓋３０の幅方向Ｗの後方側において、係合突起７６、７７は長手方向Ｌにおいて中央部に設けられると共に、その中央部の両側の部分は、電池蓋３０の上面（閉塞面３０Ａ）の他の部分より凹陥した凹陥部８０として形成される。
【００２８】
電池蓋３０が閉状態にあるとき、すなわち電池蓋３０が最も後方側にスライドされたときの状態を図４、５に示す。図４、５に示すように電池蓋３０が閉状態にあるとき、突起３７Ｂ、３８Ｂはアーム部６１、６２に接触しておらず、アーム部６１、６２は突起３７Ｂ、３８Ｂによって押圧されない。これにより、図５に示すように、延出部６１Ｃ、６２Ｃは電池蓋支持部３２の裏面に沿って平行に延びると共に、傾斜アーム部６１Ｄ、６２Ｄは、延出部６１Ｃ、６２Ｃに対して本来の所定角度で傾いている。したがって、アーム部６１、６２は電池蓋３０から離間するように延びて電池蓋支持板３２から突出し、大きく撓み変形することが可能である。
【００２９】
図４、５に示す状態から電池蓋３０が手前側にスライドされ開けられると、突起３７Ｂ、３８Ｂも電池蓋３０と共に前方側に変位し、これにより傾斜アーム部６１Ｄ、６２Ｄが突起３７Ｂ、３８Ｂに当接される。突起３７Ｂ、３８Ｂが傾斜アーム部６１Ｄ、６２Ｄに当接した状態から、電池蓋３０がさらに開けられ図６、７に示すように最も前方側にスライドされると、突起３７Ｂ、３８Ｂもさらに前方側に変位し、傾斜アーム部６１Ｄ、６２Ｄが突起３７Ｂ、３８Ｂによって押圧される。傾斜アーム部６１Ｄ、６２Ｄは、突起３７Ｂ、３８Ｂに押圧されると、延出部６１Ｃ、６２Ｃと共に下向きに撓められ、これにより傾斜アーム部６１Ｄ、６２Ｄの電池蓋支持板３２に対する傾斜角度が小さくなり、接触部６３が電池蓋３０に近づけられる。なお、このとき、接続部６１Ｅ、６２Ｅは電池蓋３０に当接していない。
【００３０】
なお、前述したように電池蓋３０の閉塞面３０Ａの後方側（図５、７においては左側）には凹陥部８０が設けられており、電池蓋３０が開けられたとき、アーム部６１、６２はその凹陥部８０に向けて押し込まれる。すなわち、凹陥部８０のために、延出部６１Ｃ、６２Ｃ及び傾斜アーム部６１Ｄ、６２Ｄは下側に大きく変位することができ、これにより傾斜アーム部６１Ｄ、６２Ｄは電池蓋支持部３２の上面に対して殆ど傾いていない状態まで下側に押し込まれる。
【００３１】
以上のように本実施形態においては、電池蓋３０の開閉動作に連動して、第１および第２のアーム部６１、６２の電池蓋支持部３２からの突出量を変化させている。そして、電池蓋３０が閉じているときは、突起３７Ｂ、３８Ｂからの押圧量を相対的に減少させることにより、第１および第２のアーム部６１、６２の突出量を増加させ、これにより接触部６３を電池の端子に当接させることができるとともに、アーム部６１、６２の撓み量が大きくなるので、瞬断を有効に防止することができる。一方、電池蓋３０が開いているときは、突起３７Ｂ、３８Ｂからの押圧量を相対的に増加させることにより、第１および第２のアーム部６１、６２の突出量を閉じているときよりも減少させ、これにより第１および第２のアーム部６１、６２に対して外的負荷が作用されるのを防止することができる。
【００３２】
また本実施形態においては、アーム部６１、６２を押圧するための突起３７Ｂ、３８Ｂはガイド部材３７、３８の一部として構成しているため、アーム部６１、６２を押圧するための特別な部材を設けなくて良く、部品点数を減らすことができる。特に本実施形態では、電池蓋３０、ガイド部材３７、３８、及び突起３７Ｂ、３８Ｂが一体的に成形されているため、部品点数を効率的に減らすことができる。また本実施形態では、突起３７Ｂ、３８Ｂを形成するために、別部材を電池蓋３０に取り付ける必要がなく、したがって電池蓋３０は簡単に組み立てることが可能である。さらに、本実施形態の第１及び第２のアーム部６１、６２は並列して設けられるとともに、それらの先端部が接続して接触部６３が構成されるため、接触部６３は直線的でかつ幅広の部材として成形可能であり、これにより第１及び第２の接点６４、６５間の導電性を高めることができる。
【００３３】
図８は第２の実施形態における電池蓋を上方から見たときの平面図である。第１の実施形態においては、電池接片６０は１つ設けられ、第１及び第２の接点６４、６５は一体の接触部６３上に設けられていたが、第２の実施形態においては、電池接片６０は２つ設けられ、第１及び第２の接点６４、６５は別体の第１及び第２の接触部６３Ａ、６３Ｂ上に設けられる。
【００３４】
すなわち、第２の実施形態においては、第１及び第２のアーム部６１、６２の先端部には独立に第１及び第２の接触部６３Ａ、６３Ｂが設けられ、第１及び第２の接点６４、６５はそれぞれ第１及び第２の接触部６３Ａ、６３Ｂ上に設けられる。第１及び第２の接触部６３Ａ、６３Ｂそれぞれは、第１及び第２のアーム部６１、６２の先端部から長手方向Ｌに沿って電池蓋支持板３２の内側に向けて延び、第１のアーム部６１及び第１の接触部６３Ａは上方から見ると略Ｌ字状に形成される。同様に、第２のアーム部６２及び第１の接触部６３Ｂも上方から見ると略Ｌ字状に形成される。
【００３５】
なお、第１の実施形態において、電池の端子に接触するための接点は電池接片６０に２つしか設けられないが、３以上の接点が設けられても良く、例えば４つの接点が設けられてもよい。４つの接点が設けられる場合、１つの電池接片上に４つの接点が設けられても良いが、幅方向Ｗに２つの電池接片が並列されていても良い。この場合、各電池接片は第１の実施形態の電池接片６０と同一の構成を有し、各電池接片それぞれが電池蓋支持板３２に固定されていると共に、各電池接片６０に設けられたアーム部を押圧するために、電池蓋３０には突起が４つ設けられる。すなわち、アーム部は長手方向Ｌに沿って２つ並列して設けられると共に、幅方向Ｗに沿っても２つ並列して設けられ、長手方向Ｌの両端部に設けられた各ガイド部材にも幅方向Ｗに並列して２つの突起が設けられる。勿論、電池接片６０は幅方向Ｗに３つ以上設けられても良い。
【００３６】
第２の実施形態においても、接点は３つ以上設けられても良く、例えば電池接片は長手方向Ｌ、幅方向Ｗの両方に沿って、２つずつ並列され、各電池接片に１つずつ接点が設けられても良い。勿論、電池接片は幅方向Ｗにおいて、３以上並列されていても良い。
【００３７】
なお、第１及び第２の実施形態では、電池蓋３０が閉じている状態において、突起３７Ｂ、３８Ｂは第１及び第２のアーム部６１、６２を押圧していなかったが、第１及び第２のアーム部６１、６２を押圧するように設定されていても良い。
【００３８】
さらに、第１及び第２の実施形態においては、ガイド部材３７、３８は電池蓋３０に設けられるとともに、電池接片６０は電池蓋支持板３２に設けられたが、ガイド部材３７、３８が電池蓋支持板３２に設けられるとともに、電池接片６０が電池蓋３０に設けられても良い。このような構成においても、電池蓋３０がガイド部材に沿って電池蓋支持板３２に対して相対的に摺動するとき、電池接片６０はガイド部材３７、３８に押圧され、電池接片６０に設けられた接触部６３は電池蓋３０に近づけられる。
【００３９】
なお、第１及び第２の実施形態においては、電池接片６０はアーム部６１、６２と、そのアーム部６１、６２の先端に設けられた接触部６３によって構成されたが、電池接片６０はこの形状に限定されるわけではない。例えば電池接片は、矩形等の形状を呈する板状部材で構成され、突起３７Ｂ、３８Ｂがその板状部材を押圧する構成であっても良い。勿論この場合、電池の端子に接するための接触部は板状部材の先端部に設けられる必要はない。
【図面の簡単な説明】
【００４０】
【図１】本発明の第１の実施形態に係る電池収納構造の斜視図である。
【図２】電池蓋の分解斜視図を示す。
【図３】閉じられた状態における電池蓋の平面図である。
【図４】閉じられた状態における電池蓋の斜視図である。
【図５】閉じられた状態における図３のIII−III線に沿った電池蓋の矢視断面図である。
【図６】開けられた状態における電池蓋の斜視図である。
【図７】開けられた状態における図３のIII−III線に沿った電池蓋の矢視断面図である。
【図８】第２の実施形態に係る電池蓋の平面図である。
【符号の説明】
【００４１】
１０  電池収納部
３０  電池蓋
３０Ａ  閉塞面（上面）
３２  電池蓋支持板
３７、３８  ガイド部材
３７Ａ、３８Ａ  ガイド溝
３７Ｂ、３８Ｂ  突起
６０  電池接片
６１  第１のアーム部
６２  第２のアーム部
６３  接触部
Ｌ  長手方向
Ｗ  幅方向（摺動方向）
【図１】
2007287423.tif 000003
【図２】
2007287423.tif 000004
【図３】
2007287423.tif 000005
【図４】
2007287423.tif 000006
【図５】
2007287423.tif 000007
【図６】
2007287423.tif 000008
【図７】
2007287423.tif 000009
【図８】
2007287423.tif 000010
【手続補正書】
【提出日】平成19年2月16日(2007.2.16)
【手続補正１】
【補正対象書類名】明細書
【補正対象項目名】００３４
【補正方法】変更
【補正の内容】
【００３４】
すなわち、第２の実施形態においては、第１及び第２のアーム部６１、６２の先端部には独立に第１及び第２の接触部６３Ａ、６３Ｂが設けられ、第１及び第２の接点６４、６５はそれぞれ第１及び第２の接触部６３Ａ、６３Ｂ上に設けられる。第１及び第２の接触部６３Ａ、６３Ｂそれぞれは、第１及び第２のアーム部６１、６２の先端部から長手方向Ｌに沿って電池蓋支持板３２の内側に向けて延び、第１のアーム部６１及び第１の接触部６３Ａは上方から見ると略Ｌ字状に形成される。同様に、第２のアーム部６２及び第２の接触部６３Ｂも上方から見ると略Ｌ字状に形成される。
【手続補正２】
【補正対象書類名】図面
【補正対象項目名】図１
【補正方法】変更
【補正の内容】
【図１】
2007287423.tif 000011
【手続補正３】
【補正対象書類名】図面
【補正対象項目名】図３
【補正方法】変更
【補正の内容】
【図３】
2007287423.tif 000012
【手続補正４】
【補正対象書類名】図面
【補正対象項目名】図６
【補正方法】変更
【補正の内容】
【図６】
2007287423.tif 000013